(57)【要約】【課題】  鏡を用いて実際よりも容積を大きく見せることが可能であり、奥行き方向への広がりだけではなく、横方向への広がりを持たせて見せることが可能な観賞用水槽を提供すること。【解決手段】  略多角柱状を有する水槽本体と、上記水槽本体に設けられる鏡板とを備え、上記水槽本体を構成する複数の側板のうち、少なくとも隣接する２枚の側板は、上記水槽本体の内側に鏡面を有する鏡面付側板である一方、残りの側板は、透光性部材を含んで構成された透光性側板であり、上記鏡板は、上記鏡板の鏡面が上記鏡面付側板の鏡面と略連続するように、該鏡面付側板と上記透光性側板とが隣接する上記水槽本体の側角部に沿って設けられていることを特徴とする観賞用水槽。【選択図】    図１
2007195437.tif 000002
【特許請求の範囲】
【請求項１】
略多角柱状を有する水槽本体と、前記水槽本体に設けられる鏡板とを備え、
前記水槽本体を構成する複数の側板のうち、少なくとも隣接する２枚の側板は、前記水槽本体の内側に鏡面を有する鏡面付側板である一方、残りの側板は、透光性部材を含んで構成された透光性側板であり、
前記鏡板は、前記鏡板の鏡面が前記鏡面付側板の鏡面と略連続するように、該鏡面付側板と前記透光性側板とが隣接する前記水槽本体の側角部に沿って設けられていることを特徴とする観賞用水槽。
【請求項２】
前記鏡板は、前記側角部にヒンジを介して支持されていることを特徴とする請求項１に記載の観賞用水槽。
【請求項３】
前記鏡板は、前記側角部に着脱可能に設けられていることを特徴とする請求項１に記載の観賞用水槽。
【請求項４】
前記鏡板は、全ての前記透光性側板を覆うことができるように構成されていることを特徴とする請求項２又は３に記載の観賞用水槽。
【発明の詳細な説明】
【技術分野】
【０００１】
本発明は、観賞用水槽に関する。
【背景技術】
【０００２】
従来、室内に水槽を設置し、その中で魚類を飼育し観賞して楽しむことが広く行われている。
【０００３】
しかしながら、室内の面積には限りがあるため、その中に設置可能な水槽の大きさには自ずと限度が生じる。このような問題を解消するため、従来、水槽の側板の一部に鏡を用い、実際よりも水槽の容積を大きく見せる技術が提案されている（例えば、特許文献１、２参照）。
【０００４】
特許文献１に記載の水槽によれば、三角柱の形状を有した水槽の側板のうち２面は内側に鏡面を有した鏡であり、残る１つの透明な側板の外側から中を見ると、鏡の反射により実際より大きく見えるようになっている。また、特許文献２に記載の水槽によれば、直方体の形状を有した水槽の側板のうち１面は内側に鏡面を有した鏡であり、他の３つの透明な側板の外側から中を見ると、特許文献１に記載の水槽と同様に、鏡の反射により実際より大きく見えるようになっている。
【０００５】
【特許文献１】実開平６−７９２５６号公報
【特許文献２】実開平７−１１１５２号公報
【発明の開示】
【発明が解決しようとする課題】
【０００６】
しかしながら、特許文献１や特許文献２に記載の水槽では、鏡が水槽の側板にしか存在しないため、見る角度によっては鏡に映る水槽が極一部となり、充分に効果が発揮されない場合があった。
【０００７】
本発明は、上述した課題に鑑みてなされたものであり、その目的は、鏡を用いて実際よりも容積を大きく見せることが可能であり、奥行き方向への広がりだけではなく、横方向への広がりを持たせて見せることが可能な観賞用水槽を提供することにある。
【課題を解決するための手段】
【０００８】
以上のような目的を達成するために、本発明は、以下のようなものを提供する。
（１）  略多角柱状を有する水槽本体と、上記水槽本体に設けられる鏡板とを備え、
上記水槽本体を構成する複数の側板のうち、少なくとも隣接する２枚の側板は、上記水槽本体の内側に鏡面を有する鏡面付側板である一方、残りの側板は、透光性部材を含んで構成された透光性側板であり、
上記鏡板は、上記鏡板の鏡面が上記鏡面付側板の鏡面と略連続するように、該鏡面付側板と上記透光性側板とが隣接する上記水槽本体の側角部に沿って設けられていることを特徴とする観賞用水槽。
【０００９】
（１）の発明によれば、鏡面付側板に水槽本体が映るため、観賞者から上記水槽本体があたかも奥行き方向に広がって見える。さらに、鏡板が、鏡面が鏡面付側板の鏡面と略連続するように、該鏡面付側板と上記透光性側板とが隣接する上記水槽本体の側角部に設けられているため、観賞者から上記水槽本体が横方向に広がって見え得る。このように（１）の発明によれば、水槽本体が奥行き方向と横方向とに広がって見えるため、鏡を用いて実際によりも容積を大きく見せることが可能になる。
【００１０】
さらに、本発明は、以下のようなものを提供する。
（２）  上記（１）の観賞用水槽であって、
上記鏡板は、上記側角部にヒンジを介して支持されていることを特徴とする。
【００１１】
（２）の発明によれば、鏡板が、ヒンジによって支持された側角部を軸に可動であるため、例えば、鏡板と側板とが接触するように上記鏡板を収納することができる。従って、観賞用水槽の配置方法の自由度を増すことが可能となる。
【００１２】
さらに、本発明は、以下のようなものを提供する。
（３）  上記（１）の観賞用水槽であって、
上記鏡板は、上記側角部に着脱可能に設けられていることを特徴とする。
【００１３】
（３）の発明によれば、鏡板が、側角部に着脱可能に設けられているため、設置場所の状況等に応じて鏡板を取り外すことが可能である。従って、観賞用水槽の配置方法の自由度を増すことが可能になる。
【００１４】
さらに、本発明は、以下のようなものを提供する。
（４）  上記（２）又は（３）の観賞用水槽であって、
前記鏡板は、全ての前記透光性側板を覆うことができるように構成されていることを特徴とする。
【００１５】
（４）の発明によれば、全ての透光性側板を鏡板で覆うことが可能となり、これによって、水槽本体の側板を全て遮光された状態にすることが可能となる。したがって、設置される場所が常に明るい所であっても、一時的に水槽内を暗室にすることが可能となるので、水槽内の水生生物の健康が害される可能性を低下させることが可能となる。また、太陽光が水槽を照射することを防ぐことも可能となるので、水槽内に水苔が生えてしまい、除去に手間を要するといった問題を防ぐことも可能となる。
【発明の効果】
【００１６】
本発明によれば、鏡を用いて実際よりも容積を大きく見せることが可能であり、奥行き方向への広がりだけではなく、横方向への広がりを持たせて見せることが可能な観賞用水槽を提供することができる。
【発明を実施するための最良の形態】
【００１７】
［第１実施形態］
図１は、第１実施形態に係る観賞用水槽を模式的に示す斜視図である。
観賞用水槽１は、水槽本体１０と、水槽本体１０に設けられる２枚の鏡板１７、１８とを備える。
水槽本体１０は、矩形体状を有し、矩形状を有する４枚の側板１１〜１４と、矩形状の１枚の底板１５とによって構成されている。４枚の側板１１〜１４は、夫々、樹脂製の部材によって接合されている。図中、１６ａ〜１６ｄは、水槽本体１０の側板１１〜１４によって構成される角（側角部）を示す。
【００１８】
水槽本体１０を構成する４枚の側板１１〜１４のうち、側角部１６ａを介して隣接する２枚の側板１１、１２は、水槽本体１０の内側に鏡面１１ａ、１２ａを有する鏡面付側板である。なお、鏡面付側板１１、１２自体は、従来公知の鏡（銀メッキが施されたガラス板）である。また、側角部１６ｃを介して隣接する側板１３、１４は、透光性部材を含んで構成された透光性側板である。透光性側板１３、１４は、ガラス板である。
【００１９】
鏡板１７は、鏡面１７ａが鏡面付側板１１の鏡面１１ａと略連続するように、鏡面付側板１１と透光性側板１４とが隣接する側角部１６ｄに、ヒンジ（図示せず）を介して開閉可能に支持されている。また、鏡板１８は、鏡面１８ａが鏡面付側板１２の鏡面１２ａと略連続するように、鏡面付側板１２と透光性側板１５とが隣接する側角部１６ｂに、ヒンジ（図示せず）を介して開閉可能に支持されている。なお、本発明において、２つの鏡面が連続するとは、必ずしも、２つの鏡面が同一平面に含まれる必要はなく、２つの鏡面が所定角をなしていてもよい。
【００２０】
観賞用水槽１は、鏡面付側板１１、１２が夫々壁５と接し、且つ、鏡面付側板１１、１２に隣接する側角部１６ａが、壁５がなす角７と接するように、床６に設置されている。図中、鏡面１１ａ、１２ａ、１７ａ、１８ａ内に示した破線は、水槽本体１０の鏡像を示す。
【００２１】
次に、図２を用いて、観賞用水槽１が観賞者にどのように見えるかを説明する。図中、１０１は、観賞者の視点を示す。また、１０３ａは、視点１０１から側角部１６ｄを通って延びる半直線であり、１０３ｂは、視点１０１から側角部１６ｂを通って延びる半直線である。視点１０１から観賞用水槽１を見た場合、鏡面１１ａ、１２ａ、１７ａ、１８ａには、水槽本体１０が映る。具体的に、鏡面付側板１１、１２の鏡面１１ａ、１２ａには、二点鎖線１０３ａ、１０３ｂ及び破線１０２に囲まれた位置に水槽本体１０が存在するかのように、水槽本体１０が映る。また、鏡面１７ａには、二点鎖線１０３ａ及び破線１０２に囲まれた位置に水槽本体１０が存在するかのように、水槽本体１０が映る。さらに、鏡面１７ｂには、二点鎖線１０３ｂ及び破線１０２に囲まれた位置に水槽本体１０が存在するかのように、水槽本体１０が映る。従って、視点１０１から観賞用水槽１を見た場合、水槽本体１０の４倍の容積を有する水槽（透光性側板１３、１４及び破線１０２により囲まれた容積を有する水槽）があたかも存在するかのように、観賞者には見えることになる。このように、観賞用水槽１によれば、奥行き方向の広がりだけではなく横方向に広がりを持たせて見せることが可能になる。
【００２２】
図３は、図１に示した観賞用水槽の鏡板が閉じられた状態を模式的に示す斜視図である。１７′、１８′は、夫々、元の位置にある鏡板１７、１８を示し、太線の矢印は、鏡板１７、１８の移動方向を示す。鏡板１７は、透光性側板１４の外面全体を覆い得る形状を有し、鏡板１８は、透光性側板１３の外面全体を覆い得る形状を有しているので、図３に示すように鏡板１７、１８を閉じ、さらに、遮光性を有する板等で水槽本体１０の上側を覆うことにより、水槽本体１０内を完全に外部の光から遮断された状態にすることが可能となる。
【００２３】
従って、例えば、観賞用水槽１が設置される場所が常に明るい場所であっても、一時的に水槽本体１０内を暗室にすることが可能となるので、水槽本体１０内の水生生物の健康が害される可能性を低下させくことが可能となる。また、太陽光を遮断することによって、水槽本体１０に水苔が生えることを防止し、苔の除去に手間を要するという問題を防ぐこともできる。
【００２４】
［第２実施形態］
図４は、第２実施形態に係る観賞用水槽を模式的に示す斜視図である。
観賞用水槽２は、水槽本体２０と、水槽本体２０に設けられる２枚の鏡板２７、２８とを備える。水槽本体２０は、３枚の側板２１〜２３と、矩形の１角が円弧に置き換わった形状を有する底板２５とによって構成されている。側板２１、２２は、矩形板状を有し、側板２３は、上記円弧に沿うように曲げられた矩形板状を有する。３枚の側板２１〜２３は、夫々、樹脂製の部材によって接合されている。図中、２６ａ〜２６ｃは、水槽本体２０の側板２１〜２４によって構成される角（側角部）を示す。
【００２５】
水槽本体２０を構成する３枚の側板２１〜２３のうち、側角部２６ａを介して隣接する２枚の側板２１、２２は、水槽本体２０の内側に鏡面２１ａ、２２ａを有する鏡面付側板である。また、残りの側板２３は、透光性側板である。
【００２６】
透光性側板２３の外面には、側角部２６ｄに沿って鏡板２７を取付可能とする固定具（図示せず）が設けられていて、鏡板２７は、上記固定具によって、鏡面２７ａが鏡面付側板２１の鏡面２１ａと略連続するように、鏡面付側板２１と透光性側板２３とが隣接する水槽本体２０の側角部２６ｄに沿って設けられている。
【００２７】
また、透光性側板２３の外面には、側角部２６ｂに沿って鏡板２８を取付可能とする固定具（図示せず）が設けられていて、鏡板２８は、上記固定具によって、鏡面２８ａが鏡面付側板２２の鏡面２２ａと略連続するように、鏡面付側板２２と透光性側板２３とが隣接する水槽本体２０の側角部２６ｂに沿って設けられている。
【００２８】
鏡板２７、２８は、例えば、観賞用水槽２の設置場所の状況等に応じて、夫々側角部２６ｄ、２６ｂから取り外すことが可能である。観賞用水槽２の配置方法の自由度を増すことが可能になる。
【００２９】
図４においては、鏡板２７の鏡面２７ａが鏡面付側板２１の鏡面２１ａと厳密には連続していない場合について説明したが、本発明において、鏡板の鏡面と鏡面付側板の鏡面とは、必ずしも、厳密に連続していなくてもよく、鏡板の厚さ程度の段差が存在していてもよい。
【００３０】
以上、第１、２実施形態に係る観賞用水槽について説明したが、本発明は、これらの例に限定されるものではない。本発明の観賞用水槽としては、例えば、次のようなものを挙げることができる。
【００３１】
図５は、本発明に係る観賞用水槽の他の一例を模式的に示す斜視図である。
観賞用水槽３は、水槽本体３０と、水槽本体３０に設けられる２枚の鏡板３７、３８とを備える。
水槽本体３０は、四角柱状を有し、矩形状を有する４枚の側板３１〜３４と、四角形状の底板３５とによって構成されている。４枚の側板３１〜３４は、夫々、樹脂製の部材によって接合されている。図中、３６ａ〜３６ｄは、水槽本体３０の側板３１〜３４によって構成される角（側角部）を示す。
【００３２】
水槽本体３０を構成する４枚の側板３１〜３４は、いずれも透光性部材からなる透光性側板である。これら４枚の透光性側板３１〜３４のうち、隣接する２枚の透光性側板３１、３２には、図５に示すように、夫々、平板形状を有する鏡板３７、３８が貼着されている。鏡板３７、３８は、側角部３６ａ近傍で互いに接している。鏡板３７は、側角部３６ｄから突出する形状を有し、鏡板３８は、側角部３６ｂから突出する形状を有している。
【００３３】
観賞用水槽３においては、透光性側板３１と鏡板３７とが一体的に構成され、透光性側板３２と鏡板３８とが一体的に構成されている。このように、本発明においては、水槽本体の透光性側板と鏡板とが一体的に構成されていてもよい。
【００３４】
本実施形態において、水槽本体の形状は、略多角柱状であれば、特に限定されるものではない。また、多角柱状の側角部には、第２実施形態において説明したように、面取りが施されていてもよい。
【００３５】
本実施形態においては、鏡板が、平板形状である場合について説明したが、本発明において、鏡板の形状は、特に限定されるものではなく、例えば、曲面を有する形状であってもよい。
【００３６】
本実施形態においては、透光性側板がガラス製である場合について説明したが、本発明において、透光性側板の材質は、透光性部材を含んで構成されたものであれば、特に限定されるものではない。また、本実施形態においては、水槽本体を構成する各側板が、樹脂製の柱を介して接合される場合について説明したが、本発明は、この例に限定されるものではない。各側板を接合する方法としては、例えば、接着剤等を用いて接着することとしてもよい。
【図面の簡単な説明】
【００３７】
【図１】第１実施形態に係る観賞用水槽を模式的に示す斜視図である。
【図２】図１に示した観賞用水槽が観賞者にどのように見えるかを説明するための平面図である。
【図３】図１に示した観賞用水槽の鏡板が閉じられた状態を模式的に示す斜視図である。
【図４】第２実施形態に係る観賞用水槽を模式的に示す斜視図である。
【図５】本発明に係る観賞用水槽の他の一例を模式的に示す斜視図である。
【符号の説明】
【００３８】
１  観賞用水槽
５  壁
６  床
７  （部屋の）角
１０  水槽本体
１１、１２  鏡面付側板
１１ａ、１２ａ  （鏡面付側板の）鏡面
１３、１４  透光性側板
１３ａ、１４ａ  （透光性側板の）鏡面
１５  底板
１６  側角部
１７、１８  鏡板
１７ａ、１８ａ  （鏡板の）鏡面
【図１】
2007195437.tif 000003
【図２】
2007195437.tif 000004
【図３】
2007195437.tif 000005
【図４】
2007195437.tif 000006
【図５】
2007195437.tif 000007